(57)【要約】【課題】どの程度の範囲を同一地点として表示するかを利用者が選択することができる写真関連情報表示装置を提供する。【解決手段】位置関係についての所定の基準に基づいて同一の地理的範囲にあると判断された１以上の写真に対応する位置マークを地図に表示する位置マーク表示手段と、前記位置マークが選択されたならば、前記位置マークに対応する前記１以上の写真の一覧を表示する写真一覧表示手段と、を備える。【選択図】図１
2019114195.tif 000002
【特許請求の範囲】
【請求項１】
位置関係についての所定の基準に基づいて同一の地理的範囲にあると判断された１以上の写真に対応する位置マークを地図に表示する位置マーク表示手段と、
前記位置マークが選択されたならば、前記位置マークに対応する前記１以上の写真の一覧を表示する写真一覧表示手段と、
を備えることを特徴とする写真関連情報表示装置。
【請求項２】
請求項１に記載の写真関連情報表示装置であって、
前記所定の基準を利用者が変更することが可能であり、
利用者により前記所定の基準が変更されたならば、前記写真一覧表示手段は、既に表示されている写真の一覧を、前記変更により更新された同一の地理的範囲にあると判断された写真の一覧に更新することを特徴とする写真関連情報表示装置。
【請求項３】
請求項１又は２に記載の写真関連情報表示装置であって、
前記位置マーク表示手段は、複数の同一の地理的範囲の各々について、位置関係についての所定の基準に基づいて同一の地理的範囲にあると判断された１以上の写真に対応する位置マークを地図に表示することを特徴とする写真関連情報表示装置。
【請求項４】
請求項３に記載の写真関連情報表示装置であって、
前記写真一覧表示手段は、前記位置マークが複数選択されたならば、前記複数の位置マークの各々に対応する前記１以上の写真の一覧を表示することを特徴とする写真関連情報表示装置。
【請求項５】
請求項１乃至４の何れか１項に記載の写真関連情報表示装置であって、
前記写真一覧表示装置は、前記マークが選択され、且つ、時間的範囲が指定されたならば、前記位置マークに対応する前記１以上の写真のうちの撮影日時が前記時間的範囲に入る写真の一覧を表示することを特徴とする写真関連情報表示装置。
【請求項６】
請求項１乃至５の何れか１項に記載の写真関連情報表示装置であって、
前記写真の一覧に含まれる何れかの写真が選択されたならば、その写真を付加情報と共に一覧表示の場合よりも大きく表示する単一写真表示手段を更に備えることを特徴とする写真関連情報表示装置。
【請求項７】
請求項１乃至６の何れか１項に記載の写真関連情報表示装置であって、
前記写真の一覧において何れかの写真が選択されたならば、前記同一の地理的範囲よりも１階層下の複数の範囲のうちの選択された写真の撮影位置が属する範囲を示す位置マークを強調表示することを特徴とする写真関連情報表示装置。
【請求項８】
位置関係についての所定の基準に基づいて同一の地理的範囲にあると判断された１以上の写真に対応する位置マークを地図に表示する位置マーク表示手段と、
前記位置マークが選択されたならば、前記位置マークに対応する地理的範囲よりも１階層下の複数の地理的範囲毎に該地理的範囲の名称と該地理的範囲を撮影地点とする写真の枚数を表示する枚数一覧表示手段と、
を備えることを特徴とする写真関連情報表示装置。
【請求項９】
請求項８に記載の写真関連情報表示装置であって、
前記枚数一覧表示手段が表示する前記範囲の名称と前記範囲を撮影地点とする写真の枚数の何れかの表示領域が選択されたならば、選択された表示領域に対応する範囲よりも１階層下の複数の地理的範囲毎に該範囲の名称と該範囲を撮影地点とする写真の枚数を表示する写真一覧表示手段を更に備えることを特徴とする写真関連情報表示装置。
【請求項１０】
請求項８に記載の写真関連情報表示装置であって、
前記枚数一覧表示手段が表示する前記範囲の名称と前記範囲を撮影地点とする写真の枚数の何れかの表示領域が選択されたならば、選択された表示領域に対応する地理的範囲の名称、該地理的範囲を撮影地点とする１以上の写真の枚数及び画像を含むポップアップ画面を表示するポップアップ画面表示手段を更に備えることを特徴とする写真関連情報表示装置。
【請求項１１】
請求項１０に記載の写真関連情報表示装置であって、
前記枚数一覧表示手段が表示する前記範囲の名称と前記範囲を撮影地点とする写真の枚数の何れかの表示領域が複数選択されたならば、選択された複数の表示領域の各々に対応する地理的範囲の名称、該地理的範囲を撮影地点とする１以上の写真の枚数及び画像を含むポップアップ画面を表示するポップアップ画面表示手段を更に備えることを特徴とする写真関連情報表示装置。
【請求項１２】
請求項８に記載の写真関連情報表示装置であって、
前記枚数一覧表示手段が表示する前記範囲の名称と前記範囲を撮影地点とする写真の枚数の何れかの表示領域が選択されたならば、選択された表示領域に対応する地理的範囲の名称と該地理的範囲を撮影地点とする写真の枚数と写真の一覧を表示する写真一覧表示手段を更に備えることを特徴とする写真関連情報表示装置。
【請求項１３】
請求項１乃至１２に記載の写真関連情報表示装置であって、
前記地図の縮尺を利用者が変更することが可能であることを特徴とする写真関連情報表示装置。
【請求項１４】
請求項１乃至１３の何れか１項に記載の写真関連情報表示装置を備えることを特徴とする複合機。
【請求項１５】
請求項１乃至１３の何れか１項に記載の写真関連情報表示装置としてコンピュータを機能させることを特徴とするプログラム。
【請求項１６】
位置関係についての所定の基準に基づいて同一の地理的範囲にあると判断された１以上の写真に対応する位置マークを地図に表示する位置マーク表示ステップと、
前記位置マークが選択されたならば、前記位置マークに対応する前記１以上の写真の一覧を表示する写真一覧表示ステップと、
を有することを特徴とする写真関連情報表示方法。
【発明の詳細な説明】
【技術分野】
【０００１】
本発明は、写真関連情報表示装置、複合機及び写真関連情報表示方法に関する。
【背景技術】
【０００２】
従来より、写真に埋め込まれたＧＰＳ情報から地図上の該当地点を指し示す技術が存在する。また、それとは逆に、特許文献１のように、撮影場所及び撮影日時の情報を持つ画像データを読み込み、指定された日時に撮影した画像データを、地図上の撮影場所に対応する位置に表示する技術がある。
【先行技術文献】
【特許文献】
【０００３】
【特許文献１】特開２００７−３２２８４７号公報
【特許文献２】特開２０１４−１３６００号公報
【発明の概要】
【発明が解決しようとする課題】
【０００４】
しかし、どの程度の範囲を同一地点として表示するかに関する基準がなく、画像の閲覧時に所望の写真の絞り込みや検索に時間がかかってしまうという課題がある。特許文献２には、画像の検索範囲を調整することができる技術が開示されているが、地理的範囲を微調整するにとどまる。
【０００５】
そこで、本発明は、どの程度の範囲を同一地点として表示するかを利用者が選択することができる写真関連情報表示装置、複合機及び写真関連情報表示方法を提供することを目的とする。
【課題を解決するための手段】
【０００６】
本発明によれば、
位置関係についての所定の基準に基づいて同一の地理的範囲にあると判断された１以上の写真に対応する位置マークを地図に表示する位置マーク表示手段と、
前記位置マークが選択されたならば、前記位置マークに対応する前記１以上の写真の一覧を表示する写真一覧表示手段と、
を備えることを特徴とする写真関連情報表示装置が提供される。
【０００７】
また、本発明によれば、
位置関係についての所定の基準に基づいて同一の地理的範囲にあると判断された１以上の写真に対応する位置マークを地図に表示する位置マーク表示手段と、
前記位置マークが選択されたならば、前記位置マークに対応する地理的範囲よりも１階層下の複数の地理的範囲毎に該地理的範囲の名称と該地理的範囲を撮影地点とする写真の枚数を表示する枚数一覧表示手段と、
を備えることを特徴とする写真関連情報表示装置が提供される。
【０００８】
更に、本発明によれば、上記の写真関連情報表示装置を備えることを特徴とする複合機が提供される。
【０００９】
更に、本発明によれば、上記の写真関連情報表示装置としてコンピュータを機能させることを特徴とするプログラムが提供される。
【００１０】
更に、本発明によれば、
位置関係についての所定の基準に基づいて同一の地理的範囲にあると判断された１以上の写真に対応する位置マークを地図に表示する位置マーク表示ステップと、
前記位置マークが選択されたならば、前記位置マークに対応する前記１以上の写真の一覧を表示する写真一覧表示ステップと、
を有することを特徴とする写真関連情報表示方法が提供される。
【発明の効果】
【００１１】
本発明によれば、どの程度の範囲を同一地点として表示するかを利用者が選択することができる。
【図面の簡単な説明】
【００１２】
【図１】本発明の第１の実施の形態による写真関連情報表示装置が表示する画面である。
【図２】本発明の第１の実施の形態による写真関連情報表示装置が表示する他の画面である。
【図３】本発明の第１の実施の形態による写真関連情報表示装置が表示する更に他の画面である。
【図４】本発明の第１の実施の形態による写真関連情報表示装置が表示する更に他の画面である。
【図５】本発明の第１の実施の形態による写真関連情報表示装置が表示する更に他の画面である。
【図６】本発明の第１の実施の形態による写真関連情報表示装置が表示する更に他の画面である。
【図７】本発明の第１の実施の形態による写真関連情報表示装置が表示する更に他の画面である。
【図８】本発明の第１の実施の形態による写真関連情報表示装置が表示する更に他の画面である。
【図９】本発明の第１の実施の形態による写真関連情報表示装置が表示する更に他の画面である。
【図１０】本発明の第２の実施の形態による写真関連情報表示装置が表示する画面である。
【図１１】本発明の第３の実施の形態による写真関連情報表示装置が表示する画面である。
【図１２】本発明の第４の実施の形態による写真関連情報表示装置が表示する画面である。
【図１３】本発明の第４の実施の形態による写真関連情報表示装置が表示する他の画面である。
【図１４】本発明の第５の実施の形態による写真関連情報表示装置が表示する画面である。
【図１５】本発明の共通の実施の形態による複合機の概念的断面図である。
【図１６】本発明の共通の実施の形態による複合機の機能ブロック図である。
【発明を実施するための形態】
【００１３】
以下、図面を参照して本発明を実施するための形態について詳細に説明する。
【００１４】
［第１の実施の形態］
例えば、ＪＰＥＧ形式の写真データには、付加情報を追加することができる。ＧＰＳ機能を備えたカメラにより撮影された写真のデータには、ＧＰＳ機能により検出された撮影位置を緯度経度で表したものが付加情報として追加される。また、撮影位置の緯度経度と地図情報とに基づいて、撮影位置の住所を検出することができ、写真のデータに撮影位置を住所で表したものが付加情報として追加される。
【００１５】
第１の実施の形態においては、図１に示すように、左画面には、地図と、撮影位置を表すマーク▽が表示される。また、右画面には、写真のサムネイルのリストが表示される。
【００１６】
また、左画面には、縮尺を調整するための縮尺スライダ及び撮影位置の同一グループの範囲を調整するための範囲スライダが表示される。
【００１７】
縮尺スライダが上方にスライドされると、地図は拡大され、縮尺スライダが下方にスライドされると、地図は縮小される。
【００１８】
また、範囲スライダが上方にスライドされると、撮影位置の同一グループの範囲が狭くなり、範囲スライダが下方にスライドされると、撮影位置の同一グループの範囲が広くなる。具体的には、範囲スライダの位置が下方から上方に動くに従って、撮影位置の同一グループの範囲が、同一国、同一地方、同一都道府県、同一市区町村、ピンポイント地点と変化していく。
【００１９】
初期画面においては、例えば、左画面には、国の全土を表示するように縮尺が調整された日本地図が表示され、縮尺スライダの位置は、その縮尺に対応した位置になる。また、日本地図には、この表示装置により表示することが可能な全ての写真の撮影位置が表示される。但し、個々の写真の撮影位置が表示されるのではなく、撮影位置の同一グループの初期値として選択されている市区町村単位で表示される。従って、全く表示するべき写真データがない市区町村には撮影位置を表すマーク▽が表示されないが、１つ以上の写真データがある市区町村には撮影位置を表すマーク▽が表示される。
【００２０】
また、右画面には、初期状態において選択されているグループの地域にある写真のサムネイルがリスト形式で表示される。図１の例では、初期状態においては、札幌市が選択されているので、右画面には、札幌市で撮影された写真のサムネイルがリスト形式で表示されている。
【００２１】
利用者による操作により、何れかのマーク▽を選択することが可能であるが、或るマーク▽が選択されたならば、そのマークに対応する地域に撮影位置がある写真のサムネイルがリスト形式で右画面に表示される。例えば、奈良市のマーク▽が選択されたならば、奈良市に撮影位置がある写真のサムネイルがリスト形式で右画面に表示される。
【００２２】
既に説明したように、範囲スライダを上下にスライドさせることにより、撮影位置の同一グループの範囲を変更することが可能であるが、図１に示すように撮影位置の同一グループの範囲が市区町村であり、選択されているグループが札幌市である状態において、範囲スライダを下にスライドさせると、撮影位置の同一グループの範囲が札幌市を含む北海道に変化する。これと共に、右半分の画面のサムネイル表示される写真のリストが、札幌市に撮影位置が含まれる写真のリストから、北海道に撮影位置が含まれる写真のリストに変更される。従って、例えば、帯広市に撮影位置が含まれる写真があるのであれば、帯広市に撮影位置が含まれる写真がリストに追加されることになる。
【００２３】
なお、図３に示すように、範囲スライダにより撮影位置の同一グループとしてピンポイントが指定された場合には、所定の誤差を考慮しつつも、別の撮影位置を持つと判断された写真をサムネイル形式又は通常形式で個別に表示し、同一の撮影位置を持つと判断された複数の写真をサムネイルリストで表示する。
【００２４】
上記では、特に撮影日や撮影時刻を考慮しない表示方法を説明した。しかし、例えば、指定された年、指定された年月、指定された年月日、指定された年月日の所定の時間帯の写真のみを表示の対象としてもよい。
【００２５】
例えば、図４に示すように、年月日などの日付や時刻に関する指定がないときに、位置範囲として北海道が指定されたことにより表示対象として絞られた写真＃１、＃２、＃３、＃４、＃５、＃６、＃７及び＃８の撮影年月日が２０１６年８月１１日、２０１６年１０月１０日、２０１６年８月１１日、２０１４年１１月３日、２０１６年８月１０日、２０１４年７月２５日、２０１５年５月３日及び２０１４年７月２５日である場合に、日時の範囲として２０１６年が指定されたのであれば、図５に示すように、表示対象として絞られる写真は、写真＃１、＃２、＃３、＃５の４枚になる。
【００２６】
上記では、１つの位置範囲しか指定できない表示方法を説明した。しかし、複数の位置範囲を指定することができるようにしてもよい。
【００２７】
例えば、図５に示すように、位置範囲として北海道が指定されていて、日時の範囲として２０１６年が指定されていて、これらにより写真が４枚に絞られているときに、位置範囲として高知県も追加して指定すると、図６に示すように、高知県内で２０１６年に撮影された４枚の写真が追加される。
【００２８】
上記では、写真をサムネイル表示する例しか説明していない。しかし、リスト内においてサムネイル表示されている写真が選択されたならば、図７に示すように付加情報付きで通常表示してもよい。付加情報としては、撮影日時、撮影場所、タイトルなどがある。撮影場所は、地域名で表示しても良いし、緯度経度で表示しても良いし、これらの両者で表示してもよい。
【００２９】
また、既に、市区町村単位の表示をする場合、全く表示するべき写真データがない市区町村には撮影位置を表すマーク▽が表示されないが、１つ以上の写真データがある市区町村には撮影位置を表すマーク▽が表示されるという説明をした。これに対応して、右画面には、例えば、市区町村でグループ化された状態で写真のサムネイルリストが表示される。ここで、利用者により何れかのサムネイルが選択されたならば、そのサムネイルの撮影場所を含む市区町村を左画面において表すマーク▽を強調表示してもよい。例えば、色を通常の色と異ならせたり、ブリンクさせたり、大きく表示してもよい。こうすることにより、利用者は、写真を撮影した市区町村を地図にて確認することができるようになる。図８は、奈良市○○町××で撮影された写真のサムネイルが選択されたことにより左画面において奈良市のマーク▽が強調表示された例を示す。
【００３０】
ＧＰＳ機能などにより自端末の位置を検出することが可能な端末を利用した場合、図９に示すように、検出した自端末の位置を左画面の地図に表示し、更に、自端末の位置とその周辺を撮影位置としている写真のサムネイルをリスト表示してもよい。
【００３１】
［第２の実施の形態］
第１の実施の形態では、右画面には、写真のサムネイルをリスト表示した。例えば、図２は、範囲として北海道が指定された場合に、撮影位置が北海道である全ての写真のサムネイルがリスト表示されたものである。
【００３２】
これに対して、第２の実施の形態では、右画面には、最初は、現在指定されている範囲の名称とその範囲に撮影位置がある写真の枚数の他に、その範囲の１階層下の範囲の名称とその範囲に撮影位置がある写真の枚数をリスト表示する。１階層下とは、現在の階層が国であれば、地方、現在の階層が地方であれば、都道府県のことであり、現在の階層が都道府県であれば、市区町村のことであり、現在の階層が地区町村であればピンポイント地点のことである。例えば、図１０は、範囲として北海道が指定された場合に、北海道という名称と北海道を撮影位置とする写真の枚数である５４枚の他に、北海道の１階層下の範囲の名称として札幌市、旭川市、函館市、室蘭市、新日高町とこれらに対応した枚数である１０枚、５枚、７枚、５枚、５枚を表示する。
【００３３】
右画面のリスト表示に含まれる何れかのリスト項目である範囲が選択されたならば、その範囲を撮影位置とする写真がサムネイル形式でリスト表示される。例えば、図１０の例で、「札幌市  １０枚」が選択されたならば、札幌市を撮影位置とする１０枚の写真がサムネイル形式でリスト表示される。
【００３４】
［第３の実施の形態］
第３の実施の形態では、右画面には、最初は、現在指定されている範囲の名称とその範囲に撮影位置がある写真の枚数の他に、その範囲の１階層下の範囲の名称とその範囲に撮影位置がある写真の枚数とそのような写真のサムネイルをリスト表示する。例えば、図１１は、範囲として北海道が指定された場合に、北海道という名称と北海道を撮影位置とする写真の枚数である５４枚の他に、北海道の１階層下の範囲の名称として札幌市、旭川市、函館市、室蘭市、新日高町とこれらに対応した枚数である１０枚、５枚、７枚、５枚、５枚とこれらの写真のサムネイルを表示する。これらの写真のサムネイルは、第２の実施の形態において、リスト項目である範囲が選択されたときに表示されるサムネイルと同じである。
【００３５】
[第４の実施の形態]
第４の実施の形態においては、右画面は表示されず、地図が全面に表示される。そして、地図上に表示されているマーク▽が選択されたならば、そのマークに対応した範囲の名称とその範囲に撮影位置がある写真のサムネイルがポップアップ表示される。
【００３６】
なお、複数のマーク▽が選択されたならば、各々のマークに対応した範囲の名称とその範囲に撮影位置がある写真のサムネイルがポップアップ表示される。
【００３７】
図１２の例では、都道府県を範囲の単位として表示をしているが、北海道に対応したマーク▽が選択されたならば、北海道という名称と北海道に撮影位置がある写真のサムネイルがポップアップ表示される。
【００３８】
図１３は、北海道に対応したマーク▽、奈良県に対応したマーク▽及び宮崎県に対応したマーク▽が選択された場合に３つのポップアップ画面が表示された例を示している。
【００３９】
なお、１つのポップアップ画面に選択された範囲に撮影位置がある全ての写真のサムネイルを同時に表示する代わりに、日付毎に別々のポップアップ画面に表示しても良いし、選択された範囲の１階層下の範囲毎に別々のポップアップ画面に表示しても良い。この場合に置いて、別々のポップアップ画面は、同時に表示しても良いし、１つ１つ順に表示してもよい。更に、別々のポップアップ画面に表示する代わりに、１つのポップアップ画面において、別々のグループを構成するように表示してもよい。
【００４０】
［第５の実施の形態］
第４の実施の形態において、何れかの範囲に対応するマーク▽が選択されたならば、そのマークに対応する範囲について、第１の実施の形態と同様に、右画面にその範囲の名称、その範囲を撮影地域とする写真のサムネイルを表示する。
【００４１】
図１４は、２０１６年が指定されている場合において、北海道が選択され、これにより表示された画面を示している。この画面に含まれる右画面においては、北海道という地域名、北海道を撮影位置とする写真の枚数である４枚及びこれらの写真のサムネイルが表示されている。
【００４２】
［共通の実施の形態］
上記の実施の形態において表示可能である写真は、例えば、複合機内部に設けられた記憶装置に格納され、複合機からアクセスすることが可能な複合機外部に設けられた記憶装置に格納され、又は、複合機が現在は位置情報とサムネイルしかアクセスできていないが、将来的に画像データもアクセスすることが可能なものである。このような写真は、複合機に含まれる画像形成装置により印刷することが可能である。
【００４３】
共通の実施の形態は、第１乃至第５の実施の形態による写真関連情報表示装置を含む複合機８００に関するものである。図１５及び図１６は、複合機８００の構成などを示すものである。
【００４４】
図１５及び図１６に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００４５】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００４６】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取る読取装置本体８２２と、を備えている。なお、原稿読取装置８２０は、図１６に示す構成要素の他に、図１６は示されないが図１５に示される構成要素も含む。また、図１５に示すように、読取装置本体８２２には、原稿台８２６が備わる。
【００４７】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００４８】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００４９】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００５０】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００５１】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００５２】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００５３】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００５４】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１５の紙面の手前側に対応し、裏面側は図１５の背面側に対応する。
【００５５】
図１６に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００５６】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００５７】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００５８】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００５９】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００６０】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００６１】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００６２】
なお、上記の写真関連情報表示装置は、ハードウェア、ソフトウェア又はこれらの組合わせにより実現することができる。また、上記の写真関連情報表示装置により行なわれる写真関連情報表示方法も、ハードウェア、ソフトウェア又はこれらに組合わせにより実現することができる。ここで、ソフトウェアによって実現されるとは、コンピュータがプログラムを読み込んで実行することにより実現されることを意味する。
【００６３】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６４】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００６５】
本発明は、写真関連情報を用いた表示に利用することができる。
【符号の説明】
【００６６】
８００  複合機
８２０  原稿読取装置
８３０  複合機本体
８４３  操作パネル
８４５  表示部
８４７  入力部
【図１】
2019114195.tif 000003
【図２】
2019114195.tif 000004
【図３】
2019114195.tif 000005
【図４】
2019114195.tif 000006
【図５】
2019114195.tif 000007
【図６】
2019114195.tif 000008
【図７】
2019114195.tif 000009
【図８】
2019114195.tif 000010
【図９】
2019114195.tif 000011
【図１０】
2019114195.tif 000012
【図１１】
2019114195.tif 000013
【図１２】
2019114195.tif 000014
【図１３】
2019114195.tif 000015
【図１４】
2019114195.tif 000016
【図１５】
2019114195.tif 000017
【図１６】
2019114195.tif 000018